(57)【要約】【課題】浴室等に配置される表示装置において、表示部を保護する透明保護カバーに曇りが生じるのを防ぐことにより、快適な画像鑑賞を実現させる。【解決手段】制御装置１２により駆動制御される液晶パネル１１と、液晶パネル１１及び制御装置１２を収納した状態で所定の壁面２に固定される筐体１０と、この筐体１０の前面に設けられた開口に配置されて液晶パネル１１を保護する透明保護カバー１３と、を備える浴室用液晶表示装置１において、壁面２側から筐体１０内に浸入した水分Ｗが透明保護カバー１３近傍に到達するのを阻止する湿気遮断手段を備える。また、液晶パネル１１及び／又は制御装置１２から発生する熱を透明保護カバー１３に伝達する熱伝導材４０を備える。【選択図】  図２
2005012257.tif 000002
【特許請求の範囲】
【請求項１】
駆動制御部により駆動制御される表示部と、これら表示部及び駆動制御部を収納した状態で所定の壁面に固定される筐体と、この筐体の前面に設けられた開口に配置されて前記表示部を保護する透明板状体と、を備える表示装置において、
前記壁面側から前記筐体内に浸入した水分が前記透明板状体近傍に到達するのを阻止する湿気遮断手段を備えることを特徴とする表示装置。
【請求項２】
前記湿気遮断手段は、
前記表示部の周縁と前記筐体の内壁との間の間隙を塞ぐ封止手段であることを特徴とする請求項１に記載の表示装置。
【請求項３】
前記湿気遮断手段は、
前記表示部と前記透明板状体との間に配置された中間透明板状体と、
前記中間透明板状体の周縁と前記筐体の内壁との間の間隙を塞ぐ封止手段と、から構成されてなることを特徴とする請求項１に記載の表示装置。
【請求項４】
駆動制御部により駆動制御される表示部と、これら表示部及び駆動制御部を収納した状態で所定の壁面に固定される筐体と、この筐体の前面に設けられた開口に配置されて前記表示部を保護する透明板状体と、を備える表示装置において、前記透明板状体の前面と後面の間に中空部が設けられてなることを特徴とする表示装置。
【請求項５】
駆動制御部により駆動制御される表示部と、これら表示部及び駆動制御部を収納した状態で所定の壁面に固定される筐体と、この筐体の前面に設けられた開口に配置されて前記表示部を保護する透明板状体と、を備える表示装置において、
前記表示部及び／又は前記駆動制御部から発生する熱を前記透明板状体に伝達する熱伝導材を備えることを特徴とする表示装置。
【請求項６】
前記表示部及び／又は前記駆動制御部から発生する熱を前記透明板状体に伝達する熱伝導材を備えることを特徴とする請求項１から４の何れか一項に記載の表示装置。
【請求項７】
前記熱伝導材は、
前記壁面側から前記筐体内に浸入した水分が前記透明板状体近傍に到達するのを阻止する湿気遮断手段を兼ねることを特徴とする請求項５又は６に記載の表示装置。
【請求項８】
前記表示部及び／又は前記駆動制御部から発生する熱で加温された空気を、前記表示部と前記透明板状体との間の空間に流入させる流入孔と、
前記表示部と前記透明板状体との間の空間に存在する低温の空気を、前記壁面側に流出させる流出孔と、
を備えることを特徴とする請求項１から７の何れか一項に記載の表示装置。
【発明の詳細な説明】
【０００１】
【発明の属する技術分野】
本発明は、表示装置に関する。
【０００２】
【従来の技術】
従来より、浴室等にテレビ受像機やオーディオ機器を設置するための技術が提案されている。例えば、浴室の壁面に設けた開口に筐体を嵌装するとともに筐体の浴室側開口に透明体を配設し、壁面の開口と筐体との間及び筐体の浴室側開口と透明体との間に防水処理を施し、この筐体内にテレビ受像機等を収納する、という技術が提案されている（例えば、特許文献１参照。）。
【０００３】
また、近年においては、図１１に示すように、液晶パネル等の表示部１１０と、この表示部１１０を駆動制御するための制御装置１２０と、を所定の筐体１３０内に収納して構成した浴室用表示装置１００が提案されている。かかる浴室用表示装置１００の浴室側表面１０１には、通常、表示部１１０を保護するための透明保護カバー１４０が設けられている。そして、浴室用表示装置１００を浴室の壁面２００に固定する際に、壁面２００に設けられた配線穴２１０を介して駆動回路１２０等に配線を行っている。
【０００４】
【特許文献１】
特開２００１−２５２２１２号公報（第１頁、第２図）
【０００５】
【発明が解決しようとする課題】
前記した浴室用表示装置１００の筐体１３０と透明保護カバー１４０との接続部分には防水処理が施されている。このため、浴室内の湿気が筐体１３０内に浸入することを防ぐことができる。
【０００６】
しかし、浴室の壁面２００には、浴室用表示装置１００に配線を行うための配線穴２１０が設けられているため、壁面２００内部の空気に含まれる水分Ｗが、この配線穴２１０を通って浴室用表示装置１００の筐体１３０内に浸入する場合がある。このように筐体１３０内に浸入した水分Ｗは、表示部１１０のバックライト（冷陰極蛍光管）や制御装置１２０から発する熱によって加温され、蒸気Ｅとなって拡散し、表示部１１０と透明保護カバー１４０との間の空間に流入する（図１１参照）。すると、透明保護カバー１４０は外気によって冷やされているため、この空間に流入した水分Ｗが凝結して透明保護カバー１４０の後面１４０ｒに付着して曇りが生じ、画像の鑑賞が困難となる場合があった。
【０００７】
本発明の課題は、浴室等に配置される表示装置において、表示部を保護する透明保護カバーに曇りが生じるのを防ぐことにより、快適な画像鑑賞を実現させることである。
【０００８】
【課題を解決するための手段】
以上の課題を解決するため、請求項１に記載の発明は、
例えば図１〜図４に示すように、
駆動制御部（１２）により駆動制御される表示部（１１）と、これら表示部（１１）及び駆動制御部（１２）を収納した状態で所定の壁面（２）に固定される筐体（１０）と、この筐体（１０）の前面に設けられた開口（１０ａ）に配置されて前記表示部（１１）を保護する透明板状体（１３）と、を備える表示装置（１、１Ａ）において、
前記壁面（２）側から前記筐体（１０）内に浸入した水分（Ｗ）が前記透明板状体（１３）近傍に到達するのを阻止する湿気遮断手段（２０、３０）を備えることを特徴とする。
【０００９】
請求項１に記載の発明によれば、湿気遮断手段を備えるので、所定の壁面（例えば、浴室の壁面）側から筐体内に浸入した水分が表示部や駆動制御部から発する熱により加温されて蒸気となり拡散した場合においても、この水分が透明板状体近傍に到達することがない。従って、透明板状体が外気によって冷却されることに起因する水分の凝結を未然に防ぐことができ、透明板状体の曇りを防止することができる。この結果、快適な画像鑑賞を実現させることができる。
【００１０】
請求項２に記載の発明は、請求項１に記載の表示装置（１）において、
例えば図２に示すように、
前記湿気遮断手段は、
前記表示部（１１）の周縁（１１ｂ）と前記筐体（１０）の内壁（１０ｃ）との間の間隙を塞ぐ封止手段であることを特徴とする。
【００１１】
請求項２に記載の発明によれば、湿気遮断手段として、表示部の周縁と筐体の内壁との間の間隙を塞ぐ封止手段を採用しているので、壁面側から筐体内に浸入した水分が、透明板状体と表示部との間の空間に流入するのを阻止することができる。この結果、透明板状体の曇りを防止して快適な画像鑑賞を実現させることができる。
【００１２】
請求項３に記載の発明は、請求項１に記載の表示装置（１Ａ）において、
例えば図３及び図４に示すように、
前記湿気遮断手段は、
前記表示部（１１）と前記透明板状体（１３）との間に配置された中間透明板状体（３０）と、
前記中間透明板状体（３０）の周縁（３０ａ）と前記筐体（１０）の内壁（１０ｃ）との間の間隙を塞ぐ封止手段と、
から構成されてなることを特徴とする。
【００１３】
請求項３に記載の発明によれば、表示部と透明板状体との間に配置された中間透明板状体と、この中間透明板状体の周縁と筐体の内壁との間の間隙を塞ぐ封止手段と、から構成される湿気遮断手段を採用しているため、壁面側から筐体内に浸入した水分が、透明板状体と中間透明板状体との間の空間に流入するのを阻止することができる。この結果、透明板状体の曇りを防止して快適な画像鑑賞を実現させることができる。なお、駆動制御部や表示部から発する熱により中間透明板状体を加温することができ、しかも、透明板状体の外部の温度は直接的には中間透明板状体に伝達されないので、中間透明板状体の内外の温度差は少ない。このため、凝結した水分が中間透明板状体に付着することは少ない。
【００１４】
請求項４に記載の発明は、
例えば図５に示すように、
駆動制御部（１２）により駆動制御される表示部（１１）と、これら表示部（１１）及び駆動制御部（１２）を収納した状態で所定の壁面（２）に固定される筐体（１０）と、この筐体（１０）の前面に設けられた開口（１０ａ）に配置されて前記表示部（１１）を保護する透明板状体（１６）と、を備える表示装置（１Ｂ）において、
前記透明板状体（１６）の前面（１６ｆ）と後面（１６ｒ）の間に中空部（１７）が設けられてなることを特徴とする。
【００１５】
請求項４に記載の発明によれば、透明板状体の前面と後面の間に中空部が設けられているので、所定の壁面（例えば、浴室の壁面）側から筐体内に浸入した水分が表示部や駆動制御部から発する熱により加温されて蒸気となり拡散した場合においても、この水分が透明板状体の前面に到達することがない。従って、透明板状体の前面の曇りを防止することができ、快適な画像鑑賞を実現させることができる。
【００１６】
請求項５に記載の発明は、
例えば図６に示すように、
駆動制御部（１２）により駆動制御される表示部（１１）と、これら表示部（１１）及び駆動制御部（１２）を収納した状態で所定の壁面（２）に固定される筐体（１０）と、この筐体（１０）の前面に設けられた開口（１０ａ）に配置されて前記表示部（１０）を保護する透明板状体（１３）と、を備える表示装置（１Ｃ）において、
前記表示部（１１）及び／又は前記駆動制御部（１２）から発生する熱を前記透明板状体（１３）に伝達する熱伝導材（４０）を備えることを特徴とする。
【００１７】
請求項５に記載の発明によれば、熱伝導材により、表示部及び／又は駆動制御部から発生する熱を透明板状体に伝達して、透明板状体を加温することができる。従って、所定の壁面（例えば、浴室の壁面）側から筐体内に浸入した水分が表示部や駆動制御部から発する熱により加温されて蒸気となり、透明板状体の近傍に達した場合においても、この水分の凝結を防ぐことができる。この結果、透明板状体の曇りを防止することができ、快適な画像鑑賞を実現させることができる。
【００１８】
請求項６に記載の発明は、請求項１から４の何れか一項に記載の表示装置（１Ｄ）において、
例えば図８に示すように、
前記表示部（１１）及び／又は前記駆動制御部（１２）から発生する熱を前記透明板状体に伝達する熱伝導材（４０）を備えることを特徴とする。
【００１９】
請求項６に記載の発明によれば、湿気遮断手段（中間透明板状体や封止手段）又は透明板状体の前面と後面の間に設けられた中空部により、壁面側から筐体内に浸入した水分が透明板状体（の前面）近傍に到達するのを防ぐことができる。また、熱伝導材により透明板状体を加温して、透明板状体の表面における水分の凝結を防ぐことができる。従って、これら湿気遮断手段（又は中空部）及び熱伝導材の相乗効果により、透明板状体の曇りをきわめて効果的に防止することができる。
【００２０】
請求項７に記載の発明は、請求項５又は６に記載の表示装置（１Ｃ）において、
例えば図７及び図９に示すように、
前記熱伝導材（４０）は、
前記壁面（２）側から前記筐体（１０）内に浸入した水分が前記透明板状体（１３）近傍に到達するのを阻止する湿気遮断手段を兼ねることを特徴とする。
【００２１】
請求項７に記載の発明によれば、熱伝導材は、壁面側から筐体内に浸入した水分が透明板状体近傍に到達するのを阻止する湿気遮断手段を兼ねるので、湿気遮断手段（中間透明板状体や封止手段）を別途設けるための手間や費用を節減することができる。また、熱伝導機能及び湿気遮断機能による優れた曇り防止効果を得ることができる。
【００２２】
請求項８に記載の発明は、請求項１から７の何れか一項に記載の表示装置（１Ｅ）において、
例えば図１０に示すように、
前記表示部（１１）及び／又は前記駆動制御部（１２）から発生する熱で加温された空気を、前記表示部（１１）と前記透明板状体（１３）との間の空間に流入させる流入孔（６１）と、
前記表示部（１１）と前記透明板状体（１３）との間の空間に存在する低温の空気を、前記壁面（２）側に流出させる流出孔（６２）と、
を備えることを特徴とする。
【００２３】
請求項８に記載の発明によれば、加温された空気を表示部と透明板状体との間の空間に流入させる流入孔を備えるとともに、表示部と透明板状体との間の空間に存在する低温の空気を流出させる流出孔を備えるので、透明板状体を効率良く加温することができる。従って、筐体内に浸入した水分が透明板状体の近傍に達した場合においても、この水分の凝結を防ぐことができ、透明板状体の曇りを防止することができる。
【００２４】
【発明の実施の形態】
以下、図を参照して本発明の実施の形態を詳細に説明する。以下の各実施の形態においては、浴室の壁面に固定される浴室用液晶表示装置に本発明を適用した例を示している。なお、かかる浴室用液晶表示装置だけでなく、台所等の湿気の多い室内の壁面に固定される表示装置に本発明を適用することもできる。
【００２５】
［第１の実施の形態］
まず、図１及び図２を用いて、第１の実施の形態に係る浴室用液晶表示装置１について説明する。浴室用液晶表示装置１は、略直方体状の筐体１０、液晶パネル１１、制御装置１２、透明保護カバー１３、等を備えて構成されている（図１及び図２参照）。
【００２６】
筐体１０は、液晶パネル１１及び制御装置１２を収納した状態で浴室の壁面２に固定される（図２参照）。筐体１０と壁面２との間の接続部分には防水処理が施されており、浴室内の湿気が筐体１０内に浸入しないようになっている。浴室の壁面２には配線穴２ａが設けられており、この配線穴２ａを用いて駆動回路１２等に配線を行うようにしている（図２参照）。
【００２７】
筐体１０の前面には開口１０ａが設けられており、この開口１０ａに透明保護カバー１３が嵌め込まれている（図１及び図２参照）。また、筐体１０の前面には、所望の操作を行うための操作スイッチ１４や、音声を出力するスピーカ１５が設けられている（図１参照）。
【００２８】
液晶パネル１１は、本発明における表示部であり、２枚のガラス板、これらガラス板の間に注入される液晶、液晶を封入するためのシール材、バックライトとなる冷陰極蛍光管１１ａ、等を備えている。液晶パネル１１は、制御装置１２に設けられたＰＣＢ１２ａに接続される。そして、制御装置１２内のＣＰＵからの制御信号に従って、ＰＣＢ１２ａに実装された駆動回路を介して駆動されて所定の表示動作を行う。液晶パネル１１に電力が供給されて駆動されると、冷陰極蛍光管１１ａの温度が上昇する。このため、冷陰極蛍光管１１ａ近傍の空気に含まれる水分Ｗが蒸気Ｅとなって拡散する（図２参照）。
【００２９】
制御装置１２は、本発明における駆動制御部であり、液晶パネル１１を駆動するための駆動回路が実装されたＰＣＢ１２ａ、所定の制御信号を出力して液晶パネル１１の表示動作を制御するＣＰＵ、制御プログラムや画像データ等を保存するメモリ、等を備えている。制御装置１２に電力が供給されて駆動されると、ＣＰＵ等の温度が上昇して高温部１２ｂが生じる。このため、高温部１２ｂ近傍の空気に含まれる水分Ｗが蒸気Ｅとなって拡散する（図２参照）。
【００３０】
透明保護カバー１３は、本発明における透明板状体であり、アクリル系樹脂等の透明な材料で調製される。透明保護カバー１３は、前記したように、筐体１０前面の開口１０ａに嵌め込まれている。そして、透明保護カバー１３の周縁１３ａは開口１０ａの縁部に接着されており、浴室内の湿気が筐体１０内に浸入しないようになっている。
【００３１】
筐体１０の内部には、液晶パネル１１を固定するためのフレーム１０ｂが部分的に設けられており、液晶パネル１１の周縁１１ｂは、部分的に筐体１０内部のフレーム１０ｂに嵌め込まれて接着剤２０によって接着されている。また、筐体１０にフレーム１０ｂが設けられていない部分においては、液晶パネル１１の周縁１１ｂと、筐体１０の内壁１０ｃと、の間に間隙が形成されるが、その間隙を、（図示されていない）封止材によって封止するようにする。封止材としては、粘着性を有する合成樹脂やゴム材料等を採用することができる。
【００３２】
液晶パネル１１の周縁１１ｂと筐体１０の内壁１０ｃとの間の間隙は、これらフレーム１０ｂ、接着剤２０及び封止材によって塞がれることとなる。このため、壁面２の配線穴２ａから筐体１０内に浸入した水分Ｗは、透明保護カバー１３近傍に到達することがない。すなわち、これらフレーム１０ｂ、接着剤２０及び封止材は、本発明における封止手段であり、湿気遮断手段である。
【００３３】
以上説明した実施の形態に係る浴室用液晶表示装置１においては、湿気遮断手段（封止手段）により、液晶パネル１１の周縁１１ｂと、筐体１０の内壁１０ｃと、の間の間隙を封止することができる。従って、浴室の壁面２の配線穴２ａから筐体１０内に浸入した水分Ｗが、液晶パネル１１の冷陰極蛍光管１１ａや制御装置１２の高温部１２ｂから発する熱により加温されて蒸気Ｅとなり拡散した場合においても、この蒸気Ｅ（水分Ｗ）が液晶パネル１１と透明保護カバー１３との間の空間Ｓに流入するのを阻止することができる。従って、透明保護カバー１３の内外の温度差に起因する水分の凝結を未然に防ぐことができ、透明保護カバー１３の曇りを防止することができる。この結果、快適な画像鑑賞を実現させることができる。
【００３４】
［第２の実施の形態］
次いで、図３及び図４を用いて、第２の実施の形態に係る浴室用液晶表示装置１Ａについて説明する。本実施の形態に係る浴室用液晶表示装置１Ａは、第１の実施の形態に係る浴室用液晶表示装置１の湿気遮断手段の構成を変更したものであり、その他の構成は浴室用液晶表示装置１と実質的に同一である。このため、浴室用液晶表示装置１と実質的に同一の構成については説明を省略することとし、かかる構成を説明で用いる場合には、第１の実施の形態と同一の符号を付すこととする。
【００３５】
本実施の形態に係る浴室用液晶表示装置１Ａは、液晶パネル１１と透明保護カバー１３との間に、中間透明保護カバー３０を備えている（図３参照）。中間透明保護カバー３０は、本発明における中間透明板状体であり、アクリル系樹脂等の透明な材料で調製される。中間透明保護カバー３０の周縁３０ａは、筐体１０の開口１０ａに設けられたフランジ１０ｄ（内壁１０ｃを延在させたもの）に接着剤２０で接着されている。
【００３６】
中間透明保護カバー３０の周縁３０ａと筐体１０の内壁１０ｃ（フランジ１０ｄ）との間の間隙は接着剤２０によって塞がれることとなる。このため、壁面２の配線穴２ａから筐体１０内に浸入した水分は、透明保護カバー１３近傍に到達することがない。すなわち、接着剤２０は本発明における封止手段であり、これら中間透明保護カバー３０及び接着剤２０は本発明における湿気遮断手段を構成している。
【００３７】
以上説明した実施の形態に係る浴室用液晶表示装置１Ａにおいては、液晶パネル１１と透明保護カバー１３との間に配置された中間透明保護カバー３０を備えており、この中間透明保護カバー３０の周縁３０ａが筐体１０のフランジ１０ｄに接着材２０によって接着されている。このため、壁面２の配線穴２ａから筐体１０内に浸入した水分が、透明保護カバー１３と中間透明保護カバー３０との間の空間に流入するのを阻止することができる。この結果、透明保護カバー１３の曇りを防止して快適な画像鑑賞を実現させることができる。なお、本実施の形態においては、液晶パネル１１や制御装置１２から発する熱により中間透明保護カバー３０を加温することができ、しかも、透明保護カバー１３の外部の温度は直接的には中間透明保護カバー３０に伝達されないので、中間透明保護カバー３０の内外の温度差は小さくなる。このため、中間透明保護カバー３０に曇りが生じることが少ない。
【００３８】
また、本実施の形態においては、中間透明保護カバー３０の周縁３０ａを、筐体１０の開口１０ａのフランジ１０ｄ後方に接着した例を示したが、中間透明保護カバー３０の位置は適宜変更することができる。例えば、中間透明保護カバー３０の周縁３０ａを、筐体１０内部のフレーム１０ｂの前方又は後方に接着剤２０を介して接着することもできる（図４（ａ）、（ｂ）参照）。また、液晶パネル１１の前方に一体的に中間透明保護カバー３０を貼着しておき、この中間透明保護カバー３０の周縁３０ａを、筐体１０内部のフレーム１０ｂの後方に接着剤２０を介して接着することもできる（図４（ｃ）参照）。また、中間透明保護カバー３０の周縁３０ａを、筐体１０の開口１０ａのフランジ１０ｄ前方に接着剤２０を介して接着することもできる（図４（ｄ）参照）。この際には、透明保護カバー１３と中間透明保護カバー３０との間に所定の寸法の間隙を設けるようにする（図４（ｄ）参照）。
【００３９】
［第３の実施の形態］
次いで、図５を用いて、第３の実施の形態に係る浴室用液晶表示装置１Ｂについて説明する。本実施の形態に係る浴室用液晶表示装置１Ｂは、第１の実施の形態に係る浴室用液晶表示装置１の透明保護カバーの構成を変更したものであり、その他の構成は浴室用液晶表示装置１と実質的に同一である。このため、浴室用液晶表示装置１と実質的に同一の構成については説明を省略することとし、かかる構成を説明で用いる場合には、第１の実施の形態と同一の符号を付すこととする。
【００４０】
本実施の形態に係る浴室用液晶表示装置１Ｂの透明保護カバー１６は、アクリル系樹脂等の透明な材料で調製されており、その前面１６ｆと後面１６ｒの間には中空部１７が設けられている（図５参照）。中空部１７は、透明保護カバー１６の周縁１６ａ近傍部分を除くほぼ全領域にわたって設けられている。中空部１７の厚さ方向の寸法は、透明保護カバー１６の厚さに応じて適宜決定される。
【００４１】
透明保護カバー１６は筐体１０の前面の開口１０ａに嵌め込まれており、透明保護カバー１６の後面１６ｒの周縁１６ａは、筐体１０の開口１０ａのフランジ１０ｄ前方に接着剤２０で接着されている（図５参照）。また、本実施の形態においては、液晶パネル１１の周縁１１ｂが、筐体１０の開口１０ａのフランジ１０ｄ後方に接着剤２０で接着されている（図５参照）。
【００４２】
以上説明した実施の形態に係る浴室用液晶表示装置１Ｂにおいては、透明保護カバー１６の前面１６ｆと後面１６ｒの間に中空部１７が設けられているため、壁面２の配線穴２ａを通って筐体１０内に浸入した水分が液晶パネル１１や制御装置１２から発する熱により加温されて拡散した場合においても、この水分が透明保護カバー１６の前面１６ｆに到達することがない。従って、透明保護カバー１６の前面１６ｆの曇りを防止することができ、快適な画像鑑賞を実現させることができる。
【００４３】
［第４の実施の形態］
次いで、図６及び図７を用いて、第４の実施の形態に係る浴室用液晶表示装置１Ｃについて説明する。本実施の形態に係る浴室用液晶表示装置１Ｃは、第１の実施の形態に係る浴室用液晶表示装置１の湿気遮断手段に代えて熱伝導材を採用したものであり、その他の構成は浴室用液晶表示装置１と実質的に同一である。このため、浴室用液晶表示装置１と実質的に同一の構成については説明を省略することとし、かかる構成を説明で用いる場合には、第１の実施の形態と同一の符号を付すこととする。
【００４４】
本実施の形態に係る浴室用液晶表示装置１Ｃは、液晶パネル１１の冷陰極蛍光管１１ａ等から発生する熱と、制御装置１２から発生する熱と、を透明保護カバー１３に伝達する熱伝導材４０を備えている（図６参照）。熱伝導材４０は、液晶パネル１１の上縁１１ｕ及び下縁１１ｄに沿って配置されている（図６（ｂ）参照）。そして、熱伝導材４０の前方端部４０ｆを透明保護カバー１３に接触させる一方、後方部分４０ｒを液晶パネル１１に接触させるように配置している（図６（ａ）参照）。熱伝導材４０は、熱伝導率の高い鉄やアルミニウム等の金属材料で構成することができる。
【００４５】
以上説明した実施の形態に係る浴室用液晶表示装置１Ｃにおいては、熱伝導材４０により、液晶パネル１１や制御装置１２から発生する熱を透明保護カバー１３に伝達することができる。このため、透明保護カバー１３を加温して、透明保護カバー１３の前面と後面の温度差を小さくすることができる。従って、壁面２の配線穴２ａから筐体１０内に浸入した水分が液晶パネル１１や制御装置１２から発する熱により加温されて蒸気となり、透明保護カバー１３の近傍に達した場合においても、この水分の凝結を防ぐことができる。この結果、透明保護カバー１３の曇りを防止することができ、快適な画像鑑賞を実現させることができる。
【００４６】
なお、本実施の形態においては、熱伝導材４０を液晶パネル１１の上縁１１ｕ及び下縁１１ｄに沿って配置した例を示した（図６参照）が、熱伝導材４０を液晶パネル１１の全周縁（上縁１１ｕ、下縁１１ｄ、左縁１１ｌ及び右縁１１ｒ）に沿って配置することもできる（図７参照）。
【００４７】
この際、液晶パネル１１の全周縁に沿って配置した熱伝導材４０と、筐体１０内部のフレーム１０ｂと、の間に形成される間隙を接着剤等で塞ぐことにより、液晶パネル１１と透明保護カバー１３との間の空間に水分が流入しないようにすることができる。かかる場合には、熱伝導材４０は本発明における湿気遮断手段としても機能することとなる。このように熱伝導材４０を湿気遮断手段として機能させた場合には、中間透明保護カバー３０等の部材を別途設ける手間や費用を節減することができ、しかも、湿気遮断機能及び熱伝導機能による優れた曇り防止効果を得ることができる。
【００４８】
［第５の実施の形態］
次いで、図８及び図９を用いて、第５の実施の形態に係る浴室用液晶表示装置１Ｄについて説明する。本実施の形態に係る浴室用液晶表示装置１Ｄは、第１の実施の形態に係る浴室用液晶表示装置１に、中間透明保護カバー３０と、熱伝導材４０と、を設けたものであり、その他の構成は浴室用液晶表示装置１と実質的に同一である。このため、浴室用液晶表示装置１と実質的に同一の構成については説明を省略することとし、かかる構成を説明で用いる場合には、第１の実施の形態と同一の符号を付すこととする。
【００４９】
本実施の形態に係る浴室用液晶表示装置１Ｄは、液晶パネル１１の冷陰極蛍光管１１ａから発生する熱と、制御装置１２から発生する熱と、を透明保護カバー１３に伝達する熱伝導材４０を備えている（図８参照）。熱伝導材４０は、液晶パネル１１の上縁１１ｕ及び下縁１１ｄに沿って配置されている（図８（ｂ）参照）。そして、熱伝導材４０の前方端部４０ｆを透明保護カバー１３に接触させる一方、後方部分４０ｒを液晶パネル１１に接触させるように配置している（図８（ａ）参照）。熱伝導材４０は、熱伝導率の高い鉄やアルミニウム等の金属材料で構成することができる。
【００５０】
また、本実施の形態に係る浴室用液晶表示装置１Ｄは、液晶パネル１１と透明保護カバー１３との間に、中間透明保護カバー３０を備えている（図８（ａ）参照）。中間透明保護カバー３０の周縁３０ａの上下は熱伝導材４０に接着剤で接着され、中間透明保護カバー３０の周縁３０ａの左右は筐体１０内部の（図示されていない）フレームに接着剤で接着されている。これにより、中間透明保護カバー３０と透明保護カバー１３との間の空間に水分が流入しないようになっている。すなわち、第２の実施の形態と同様に、これら中間透明保護カバー３０及び接着剤は本発明における湿気遮断手段を構成している。
【００５１】
以上説明した実施の形態に係る浴室用液晶表示装置１Ｄにおいては、湿気遮断手段（中間透明保護カバー３０及び接着剤）により、壁面２の配線穴２ａから筐体１０内に浸入した水分が透明保護カバー１３近傍に到達するのを防ぐことができる。また、熱伝導材４０により透明保護カバー１３を加温して、透明保護カバー１３の内外の温度差を小さくすることができる。従って、これら湿気遮断手段及び熱伝導材４０の相乗効果により、透明保護カバー１３の曇りをきわめて効果的に防止することができ、快適な画像鑑賞を実現させることができる。
【００５２】
なお、本実施の形態においては、熱伝導材４０を液晶パネル１１の上縁１１ｕ及び下縁１１ｄに沿って配置した例を示した（図８参照）が、熱伝導材４０を液晶パネル１１の全周縁（上縁１１ｕ、下縁１１ｄ、左縁１１ｌ及び右縁１１ｒ）に沿って配置することもできる（図９参照）。
【００５３】
この際、液晶パネル１１の全周縁に沿って設けた熱伝導材４０と、筐体１０内部のフレーム１０ｂと、の間に形成される間隙を接着剤等で塞ぐことにより、液晶パネル１１と透明保護カバー１３との間の空間に水分が流入しないようにすることができる。かかる場合には、熱伝導材４０は本発明における湿気遮断手段としても機能することとなる。このように熱伝導材４０を湿気遮断手段としても機能させた場合には、中間透明保護カバー３０及び接着材から構成される湿気遮断手段とともにきわめて高い湿気遮断効果を得ることができる。この結果、さらに優れた曇り防止効果を得ることができる。
【００５４】
［第６の実施の形態］
次いで、図１０を用いて、第６の実施の形態に係る浴室用液晶表示装置１Ｅについて説明する。本実施の形態に係る浴室用液晶表示装置１Ｅは、第１の実施の形態に係る浴室用液晶表示装置１に、中間透明保護カバー３０と、流入／流出孔と、を設けたものであり、その他の構成は浴室用液晶表示装置１と実質的に同一である。このため、浴室用液晶表示装置１と実質的に同一の構成については説明を省略することとし、かかる構成を説明で用いる場合には、第１の実施の形態と同一の符号を付すこととする。
【００５５】
本実施の形態に係る浴室用液晶表示装置１Ｅは、液晶パネル１１と透明保護カバー１３との間に、中間透明保護カバー３０を備えている（図１０参照）。中間透明保護カバー３０の周縁３０ａは、筐体１０の開口１０ａに設けられたフランジ１０ｄ後方に接着剤で接着されている。これら中間透明保護カバー３０及び接着剤は、本発明における湿気遮断手段を構成している。
【００５６】
また、本実施の形態に係る浴室用液晶表示装置１Ｅの筐体１０の内壁上部には、液晶パネル１１及び制御装置１２から発生する熱で加温された空気（蒸気Ｅを含む）を、液晶パネル１１と中間透明保護カバー３０との間の空間に流入させる流入孔６１が設けられている（図１０参照）。液晶パネル１１及び制御装置１２からの熱で加温された筐体１０内の後方の空気は、筐体１０の上方に移動し、この流入孔６１を通って筐体１０内の前方へ移動する（図１０参照）。
【００５７】
また、本実施の形態に係る浴室用液晶表示装置１Ｅの筐体１０の内壁下部には、液晶パネル１１と中間透明保護カバー３０との間の空間に存在する低温の空気を、液晶パネル１１（制御装置１２）側に流出させる流出孔６２が設けられている（図１０参照）。外部の冷気によって冷やされた筐体１０内の前方の空気は、筐体１０の下方に移動し、この流出孔６２を通って筐体１０内の後方へ移動する（図１０参照）。
【００５８】
以上説明した実施の形態に係る浴室用液晶表示装置１Ｅにおいては、湿気遮断手段（中間透明保護カバー３０及び接着剤）により、壁面２の配線穴２ａから筐体１０内に浸入した水分Ｗが透明保護カバー１３近傍に到達するのを防ぐことができる。この結果、透明保護カバー１３の曇りを防止して快適な画像鑑賞を実現させることができる。
【００５９】
また、本実施の形態に係る浴室用液晶表示装置１Ｅにおいては、加温された空気（蒸気Ｅを含む）を液晶パネル１１と中間透明保護カバー３０との間の空間に流入させる流入孔６１を備えるとともに、液晶パネル１１と中間透明保護カバー３０との間の空間に存在する低温の空気を流出させる流出孔６２を備えるので、中間透明保護カバー３０を積極的に加温することができる。従って、中間透明保護カバー３０の内外の温度差を小さくすることができ、中間透明保護カバー３０の曇りを防止することができる。
【００６０】
なお、以上の実施の形態においては、液晶パネル１１を備えた表示装置を例に挙げて説明したが、ＣＲＴを備えた表示装置にも本発明を適用することができる。また、以上の実施の形態に係る浴室用液晶表示装置１〜１Ｅにおいては、湿気遮断手段の例として、接着剤２０や中間透明保護カバー３０を採用したが、これに限らず、壁面２の配線穴２ａから筐体１０内に浸入した水分が透明保護カバー１３近傍に到達するのを阻止する機能を有する構成であれば、いかなる構成を採用してもよい。
【００６１】
また、以上の実施の形態に係る浴室用液晶表示装置１〜１Ｅにおいては、比較的薄い透明保護カバー１３を採用した例を示した（図１〜図１０参照）が、透明保護カバー１３自体を肉厚にすると、外部の冷気が透明保護カバー１３の後面に伝達され難くなる。この結果、透明保護カバー１３の後面で水分が凝結することが少なくなり、曇り防止効果を向上させることができる。
【００６２】
また、以上の実施の形態に係る浴室用液晶表示装置１〜１Ｅの筐体１０において、透明保護カバー１３の周縁１３ａが接着される部分を肉厚にしたり（図４（ｄ）、図１０参照）、筐体１０の外部を断熱材で被覆したりすると、透明保護カバー１３を効率良く加温することができる。この結果、透明保護カバー１３の曇り防止効果を向上させることができる。
【００６３】
【発明の効果】
請求項１に記載の発明によれば、湿気遮断手段を備えるので、所定の壁面側から筐体内に浸入した水分が表示部や駆動制御部から発する熱により加温されて蒸気となり拡散した場合においても、この水分が透明板状体近傍に到達することがない。従って、透明板状体が外気によって冷却されることに起因する水分の凝結を未然に防ぐことができ、透明板状体の曇りを防止することができる。この結果、快適な画像鑑賞を実現させることができる。
【００６４】
請求項２に記載の発明によれば、湿気遮断手段として、表示部の周縁と筐体の内壁との間の間隙を塞ぐ封止手段を採用しているので、面側から筐体内に浸入した水分が、透明板状体と表示部との間の空間に流入するのを阻止することができる。この結果、透明板状体の曇りを防止して快適な画像鑑賞を実現させることができる。
【００６５】
請求項３に記載の発明によれば、表示部と透明板状体との間に配置された中間透明板状体と、この中間透明板状体の周縁と筐体の内壁との間の間隙を塞ぐ封止手段と、から構成される湿気遮断手段を採用しているため、壁面側から筐体内に浸入した水分が、透明板状体と中間透明板状体との間の空間に流入するのを阻止することができる。この結果、透明板状体の曇りを防止して快適な画像鑑賞を実現させることができる。
【００６６】
請求項４に記載の発明によれば、透明板状体の前面と後面の間に中空部が設けられているので、所定の壁面側から筐体内に浸入した水分が表示部や駆動制御部から発する熱により加温されて蒸気となり拡散した場合においても、この水分が透明板状体の前面に到達することがない。従って、透明板状体の前面の曇りを防止することができ、快適な画像鑑賞を実現させることができる。
【００６７】
請求項５に記載の発明によれば、熱伝導材により、表示部及び／又は駆動制御部から発生する熱を透明板状体に伝達して、透明板状体を加温することができる。従って、所定の壁面側から筐体内に浸入した水分が表示部や駆動制御部から発する熱により加温されて蒸気となり、透明板状体の近傍に達した場合においても、この水分の凝結を防ぐことができる。この結果、透明板状体の曇りを防止することができ、快適な画像鑑賞を実現させることができる。
【００６８】
請求項６に記載の発明によれば、湿気遮断手段又は透明板状体の前面と後面の間に設けられた中空部により、壁面側から筐体内に浸入した水分が透明板状体（の前面）近傍に到達するのを防ぐことができる。また、熱伝導材により透明板状体を加温して、透明板状体の表面における水分の凝結を防ぐことができる。従って、これら湿気遮断手段（又は中空部）及び熱伝導材の相乗効果により、透明板状体の曇りをきわめて効果的に防止することができる。
【００６９】
請求項７に記載の発明によれば、熱伝導材は、壁面側から筐体内に浸入した水分が透明板状体近傍に到達するのを阻止する湿気遮断手段を兼ねるので、湿気遮断手段を別途設けるための手間や費用を節減することができ、しかも、熱伝導機能及び湿気遮断機能による優れた曇り防止効果を得ることができる。
【００７０】
請求項８に記載の発明によれば、加温された空気を表示部と透明板状体との間の空間に流入させる流入孔を備えるとともに、表示部と透明板状体との間の空間に存在する低温の空気を流出させる流出孔を備えるので、透明板状体を効率良く加温することができる。従って、筐体内に浸入した水分が透明板状体の近傍に達した場合においても、この水分の凝結を防ぐことができ、透明板状体の曇りを防止することができる。
【図面の簡単な説明】
【図１】本発明の第１の実施の形態に係る浴室用液晶表示装置の正面図である。
【図２】図１に示した浴室用液晶表示装置の側断面図（図１のＩＩ−ＩＩ部分の断面図）である。
【図３】本発明の第２の実施の形態に係る浴室用液晶表示装置の側断面図である。
【図４】図３に示した浴室用液晶表示装置の中間透明保護カバーの位置を変更した例を示す一部側断面図である。
【図５】本発明の第３の実施の形態に係る浴室用液晶表示装置の側断面図である。
【図６】本発明の第４の実施の形態に係る浴室用液晶表示装置を示すものであり、（ａ）はその側断面図、（ｂ）はその正面図である。
【図７】図６に示した浴室用液晶表示装置の熱伝導材の配置を変更した例を示すものであり、（ａ）はその側断面図、（ｂ）はその正面図である。
【図８】本発明の第５の実施の形態に係る浴室用液晶表示装置を示すものであり、（ａ）はその側断面図、（ｂ）はその正面図である。
【図９】図８に示した浴室用液晶表示装置の熱伝導材の配置を変更した例を示すものであり、（ａ）はその側断面図、（ｂ）はその正面図である。
【図１０】本発明の第６の実施の形態に係る浴室用液晶表示装置の側断面図である。
【図１１】従来の浴室用表示装置の構造を示す側断面図である。
【符号の説明】
１          浴室用液晶表示装置
１Ａ〜１Ｅ  浴室用液晶表示装置
２          壁面
１０        筐体
１０ａ      開口
１０ｃ      内壁
１１        液晶パネル（表示部）
１１ｂ      周縁
１２        制御装置（駆動制御部）
１３、１６  透明保護カバー（透明板状体）
１６ｆ      前面
１６ｒ      後面
１７        中空部
２０        接着剤（湿気遮断手段、封止手段）
３０        中間透明保護カバー（湿気遮断手段、中間透明板状体）
３０ａ      周縁
４０        熱伝導材
６１        流入孔
６２        流出孔
Ｗ          水分
【図１】
2005012257.tif 000003
【図２】
2005012257.tif 000004
【図３】
2005012257.tif 000005
【図４】
2005012257.tif 000006
【図５】
2005012257.tif 000007
【図６】
2005012257.tif 000008
【図７】
2005012257.tif 000009
【図８】
2005012257.tif 000010
【図９】
2005012257.tif 000011
【図１０】
2005012257.tif 000012
【図１１】
2005012257.tif 000013